(57)【要約】【構成】  温度調節弁と吐出部との間において主経路から分岐して湯水を排出する排出経路と、主経路における排出経路の分岐点と吐出部との間に設置され吐出部への流路を開閉する吐出用開閉弁と、排出経路の流路を開閉する排出用開閉弁とを備え、吐出部と吐出用開閉弁との間に第一温度検出部を設け、主経路における温度調節弁と排出経路の分岐点との間に第二温度検出部を設け、第二温度検出部が所定温度以上になったときに排水用開閉弁を閉止して吐出用開閉弁を開放し、吐出部から湯水を吐出させた状態において第一温度検出部が所定温度を検出したときに吐出用開閉弁を閉止させるシャワー吐出装置。【効果】シャワーの準備状態において、主経路における排水用開閉弁と吐出部との間には所定温度に達した湯水が滞留する。シャワー開始時から設定された温度の湯水が吐出するため、開始時に冷水が噴出することはなく使用者の身体に悪影響を及ぼすことはない。【選択図】  図１
2007135855.tif 000002
【特許請求の範囲】
【請求項１】
湯水の流れる主経路に、湯と水を混合調節する温度調節弁と、この温度調節弁を駆動する駆動手段と、前記温度調節弁から送出された湯水を人の身体に吐出する吐出部と、前記温度調節弁とこの吐出部との間において前記主経路から分岐して湯水を排出する排出経路と、前記主経路における前記排出経路の分岐点と前記吐出部との間に設置され前記吐出部への流路を開閉する吐出用開閉弁と、前記排出経路に設置されその流路を開閉する排出用開閉弁とを備え、前記吐出部と前記吐出用開閉弁との間に第一温度検出部を設けるとともに前記主経路における前記温度調節弁と前記排出経路の分岐点との間に第二温度検出部を設け、この第二温度検出部が所定温度以上になったときに前記排水用開閉弁を閉止するとともに前記吐出用開閉弁を開放し、前記吐出部から前記湯水を吐出させた状態において前記第一温度検出部が所定温度を検出したときに前記吐出用開閉弁を閉止させることを特徴とするシャワー吐出装置。
【請求項２】
請求項１のシャワー吐出装置において、前記第一温度検出部が所定温度範囲外の湯水温を検出したときにアラーム信号が出力され、前記範囲内になると適宜一致確認信号を出力することを特徴とするシャワー吐出装置。
【発明の詳細な説明】
【技術分野】
【０００１】
この発明はシャワー吐出装置に関し、主として、シャワー入浴するために車椅子で進入するシャワーブースの内壁面に使用されるものである。
【背景技術】
【０００２】
従来におけるこの種のシャワー吐出装置としては、湯水の流れる主経路に、湯と水を混合調節する温度調節弁と、この温度調節弁を駆動する駆動手段と、前記温度調節弁から送出された湯水を人の身体に吐出する吐出部とを備え、この吐出部と前記温度調節弁との間に排水用開閉弁を設けるとともにこの排水用開閉弁と前記温度調節弁との間に混合した湯水の温度を検出する温度検出部を設け、更に、この排水用開閉弁と前記吐出部との間に前記吐出部への流路を開閉する吐出用開閉弁とを設けたものである。
そして、前記吐出用開閉弁を閉じるとともに前記排出用開閉弁を開放した状態で、前記駆動手段を介して前記温度調節弁を作動させることによって湯水温度を調節し、前記温度検出部が所定の湯水温度を検出したときに、前記排出用開閉弁を閉止して、シャワーのできる状態にしていた（特開２０００−１４５８０）。
【０００３】
【特許文献１】特開２０００−１４５８０号公報
【特許文献１】特開２００４−９７４８４号公報
【発明の開示】
【発明が解決しようとする課題】
【０００４】
しかしながら、かかる従来のシャワー吐出装置にあっては、温度検出部が前記温度調節弁と前記排水用開閉弁との間に設置されていたため、使用するにあたって、シャワーのできる準備状態に調節した際に、前記主経路における前記排水用開閉弁と前記吐出部との間に、所定温度に達していない湯水が滞留する結果、シャワー開始時に、設定温度よりも低い湯水が吐出し、このため、身体にかかった際に血圧が急激に変化し、使用者の身体に悪影響を及ぼしやすいという不都合を有した。この不都合は、前記排出用開閉弁と前記吐出部との距離が長い場合、また、冬期の場合等に顕著に現れた。
この発明の課題はこれらの不都合を解消することである。
【課題を解決するための手段】
【０００５】
前記課題を達成するために、この発明に係るシャワー吐出装置においては、湯水の流れる主経路に、湯と水を混合調節する温度調節弁と、この温度調節弁を駆動する駆動手段と、前記温度調節弁から送出された湯水を人の身体に吐出する吐出部と、前記温度調節弁とこの吐出部との間において前記主経路から分岐して湯水を排出する排出経路と、前記主経路における前記排出経路の分岐点と前記吐出部との間に設置され前記吐出部への流路を開閉する吐出用開閉弁と、前記排出経路に設置されその流路を開閉する排出用開閉弁とを備え、前記吐出部と前記吐出用開閉弁との間に第一温度検出部を設けるとともに前記主経路における前記温度調節弁と前記排出経路の分岐点との間に第二温度検出部を設け、この第二温度検出部が所定温度以上になったときに前記排水用開閉弁を閉止するとともに前記吐出用開閉弁を開放し、前記吐出部から前記湯水を吐出させた状態において前記第一温度検出部が所定温度を検出したときに前記吐出用開閉弁を閉止させるものである。
【０００６】
また、このシャワー吐出装置において、前記第一温度検出部が所定温度範囲外の湯水温を検出したときにアラーム信号が出力され、前記範囲内になると適宜一致確認信号を出力するようにすることもできる。
【発明の効果】
【０００７】
この発明に係るシャワー吐出装置は上記のように構成されているため、即ち、第二温度検出部を前記主経路における前記温度調節弁と前記排出経路の分岐点との間に設け、この第二温度検出部が所定温度以上になったときに前記排水用開閉弁を閉止するとともに前記吐出用開閉弁を開放するため、前記吐出部へは所定温度以上の湯水が流れ、また、前記第一温度検出部を前記吐出部と前記吐出用開閉弁との間に設け、前記吐出部から前記湯水を吐出させた状態において前記第一温度検出部が所定温度を検出したときに前記吐出用開閉弁を閉止させるものである。このため、使用するにあたって、シャワーのできる準備状態に調節した際に、前記主経路における前記排水用開閉弁と前記吐出部との間には、調節によって所定温度に達した湯水が滞留することになる。
【０００８】
よって、このシャワー吐出装置を使用すれば、シャワー開始時から設定された所定温度の湯水が吐出されるため、従来と異なり、シャワー開始時において冷水が噴出して使用者の血圧が急激に変化することはない結果、使用者の身体に悪影響を及ぼすことはなないものである。この効果は、主経路における排出経路の分岐点と前記吐出部との距離が長い場合、また、冬期の場合等に顕著に現れ、その使用価値は一層高まるものである。
【０００９】
また、このシャワー吐出装置において、前記第一温度検出部が所定温度範囲外の湯水温を検出したときにアラーム信号が出力され、前記範囲内になると適宜一致確認信号を出力するようにすれば、吐出部から吐出される湯水が所定温度になっているか否かを聴覚等の適宜信号によって把握することができるため、このシャワー吐出装置がより一層使用しやすいものである。
【発明を実施するための最良の形態】
【００１０】
この発明に係るシャワー吐出装置は、前記吐出部と前記吐出用開閉弁との間に第一温度検出部を設けるとともに前記主経路における前記温度調節弁と前記排出経路の分岐点との間に第二温度検出部を設け、この第二温度検出部が所定温度以上になったときに前記排水用開閉弁を閉止するとともに前記吐出用開閉弁を開放し、前記吐出部から前記湯水を吐出させた状態において前記第一温度検出部が所定温度を検出したときに前記吐出用開閉弁を閉止させる事に最も主要な特徴を有する。
【実施例】
【００１１】
以下、この発明の実施例として、このシャワー吐出装置を車椅子用シャワー装置（車椅子でシャワーブース内に進入してシャワー入浴する装置）を採用し、以下説明する。
【００１２】
図１はこの発明に係るシャワー吐出装置の流体系統図、図２は同装置における本体シャワーのコントロールの流れ図、図３は同ハンドシャワーのコントロールの流れ図、図４はこのシャワー吐出装置における吐出部の説明図である。
【００１３】
まず、本体シャワーの吐出装置について説明する。
図１において、10は本体シャワー用主経路であり、11はその始点である主混合弁（この発明における「温度調節弁」に相当する）である。この主混合弁11は、湯経路111 を介して供給される湯と、水経路112 を介して供給される水とを混合することによって所定温度の湯水にする。これらの湯経路111 および水経路112 の途中には、図示されるように、それぞれ、減圧弁および逆止弁が設置されている。
【００１４】
Ｍ1 は前記主混合弁11を作動させる作動用モーター（この発明の「駆動手段」に相当する）である。この作動用モーターＭ1 は、前記主経路10における前記主混合弁11よりも下流側に設置されたフロースイッチＳＷ1 に基づいて作動する。
【００１５】
次に、ＴＨ3 は第三温度検出部であり、前記主湯経路111 における前記逆止弁の下流側に設置されている。この第三温度検出部ＴＨ3 が所定温度以下の場合には、手動によって湯温を上げる。
【００１６】
80は排出経路であり、前記主経路10における前記フロースイッチＳＷ1 の下流側で分岐している。この排出経路80は前記主経路10におけるこの分岐点よりも上流側に滞留している所定温度以下の湯水を排出する（捨て水）ためのものである。ＳＶ4 は排水用開閉弁であり、この排出経路80に設置されて、流路を開閉する。また、ＴＨ2 は第二温度検出部であり、前記主経路10における前記主混合弁11と前記フロースイッチＳＷ1 との間に設置されている。この第二温度検出部ＴＨ2 は前記主混合弁11から流れてくる湯水の温度を検出し、所定の信号を発信する。そして、この信号に基づいて、前記排水用開閉弁ＳＶ4 および後記吐出用開閉弁ＳＶ1 〜ＳＶ3 が開閉される。具体的作動については後記する。
【００１７】
次に、ＳＶ1 〜ＳＶ3 は吐出用開閉弁であり、前記経路10における前記排水用開閉弁ＳＶ4 の下流側において並列に設置されている。この吐出用開閉弁ＳＶ1 〜ＳＶ3 の下流側にはノズル部（この発明の「吐出部」に相当する）20が設置されている。前記吐出用開閉弁ＳＶ1 〜ＳＶ3 が複数並列に設置されているのは、これらの吐出用開閉弁ＳＶ1 〜ＳＶ3 の開閉によって前記ノズル部20からの吐出量を調節するようにしたためである。なお、30は加圧ポンプであり、前記経路10における前記排水用開閉弁ＳＶ4 と前記吐出用開閉弁ＳＶ1 〜ＳＶ3 との間に設置され、前記ノズル部20から排出される湯水を補助的に加圧する。
【００１８】
また、ＴＨ1 は第一温度検出部であり、前記経路10における前記吐出用開閉弁ＳＶ1 〜ＳＶ3 と前記ノズル部20との間における、ノズル部20の根幹部に設置されている。この第一温度検出部ＴＨ1 は前記ノズル部20から吐出される湯水の温度を検出し、適宜信号を発信する。この信号に基づいて、前記排水用開閉弁ＳＶ4 および後記吐出用開閉弁ＳＶ1 〜ＳＶ3 が開閉される。具体的作動については後記する。
【００１９】
このノズル部20は、図４に示すように、車椅子用シャワー装置（車椅子でシャワーブース内に進入してシャワー入浴する装置）ＡにおけるシャワーブースＢの内壁面に設置され、入浴者Ｍの向かって噴出するように設置されている。Ｃは車椅子である。
【００２０】
50はコンピュータ制御に基づく制御ボックスである。この制御ボックス50は、前記した第三温度検出部ＴＨ3 ，第二温度検出部ＴＨ2 ，第一温度検出部ＴＨ1 およびフロースイッチＳＷ1 からの適宜信号を受信して、作動用モーターＭ1 ，排水用開閉弁ＳＶ4 ，加圧ポンプ30および吐出用開閉弁ＳＶ1 〜ＳＶ3 の作動をコントロールする。また、この制御ボックス50を介して、手動操作により前記ノズル部20に石鹸液を注入ポンプ51を介して所定量供給することもできる。
【００２１】
この本体シャワーの吐出装置のコントロール方法を、図２に基づいて説明する。
(1).コントールをスタートさせる。
(2).本体シャワー温度の上限および下限を設定する。
(3).本体シャワー温度を設定する。
(4).準備スイッチをＯＮする。
(5).排水用開閉弁ＳＶ4 を開放する。
(6).吐出用開閉弁ＳＶ1 〜ＳＶ3 を閉止する。
(7).第三温度検出部ＴＨ3 が設定温度以上か否かを判断する。
a).未満の場合には、供給される湯の温度を上げる。設定温度以上になるまで繰り返す。
b).以上の場合には、主混合弁11の制御が開始する。
(8).主混合弁11の制御が開始した後に、第二温度検出部ＴＨ2 が設定温度範囲内か否かを判断する。
a).範囲外の場合には、作動用モーターＭ1 を作動させ、設定温度範囲内になるまで繰り返す。
b).範囲内の場合には、排水用開閉弁ＳＶ4 を閉止し、吐出用開閉弁ＳＶ1 〜ＳＶ3 を開放する。
(9).第一温度検出部ＴＨ1 が設定温度範囲内か否かを判断する。
a).範囲外の場合には、作動用モーターＭ1 を作動させ、設定温度範囲内になるまで繰り返す。
b).範囲内の場合には、設定温度か否かが判断される。
イ).設定温度でない場合には、作動用モーターＭ1 を作動させ、設定温度範囲になるまで繰り返す。
ロ).設定温度の場合には、その旨の信号を発信し、吐出用開閉弁ＳＶ1 〜ＳＶ3 を閉止する。  
(10). この状態で本体シャワーの準備が完了する。
(11). 入浴のＳＷをＯＮする。
(12). 吐出用開閉弁ＳＶ1 〜ＳＶ3 が開放し、ノズル部60から湯水が噴出する。
(13). この状態で、第二温度検出部ＴＨ2 および第三温度検出部ＴＨ3 が設定温度範囲内か否かを判断する。
a). 両者とも範囲内の場合には、この温度検出を繰り返す。
b). いずれかが、範囲外の場合には、吐出用開閉弁ＳＶ1 〜ＳＶ3 を閉止する。
入浴は停止する。
このとき、「開始／停止ＳＷ」は操作不可能となる。
この状態で、準備ＳＷをＯＮする。
排水用開閉弁ＳＶ4 が開放して、前記(8) の混合弁11の制御が開始する。
【００２２】
上記制御は、第一温度検出部ＴＨ1 を除いて作動させることもできる。後記ハンドシャワーの場合がこれに該当する。
【００２３】
次に、図１に基づいて、ハンドシャワーの吐出装置について説明する。
【００２４】
図１において、60はハンドシャワー用経路であり、61はその始点である主混合弁（この発明における「温度調節弁」に相当する）である。この主混合弁61は、湯経路111 を介して供給される湯と、水経路112 を介して供給される水とを混合することによって所定温度の湯水に調節する。
【００２５】
Ｍ2 は前記主混合弁61を作動させる作動用モーター（この発明の「駆動手段」に相当する）である。この作動用モーターＭ2 は、前記経路60おける前記主混合弁61よりも下流側に設置されたフロースイッチＳＷ2 に基づいて作動する。
【００２６】
次に、ＴＨ4 は第四温度検出部（本体シャワーの吐出装置の第三温度検出部に相当する）であり、前記湯経路111 における前記逆止弁の下流側に設置されている。この第四温度検出部ＴＨ4 が所定温度以下の場合には、手動によって湯温を上げる。
【００２７】
ＳＶ6 は排水用開閉弁であり、前記経路60における前記フロースイッチＳＷ2 の下流側に設置されている。この排水用開閉弁ＳＶ6 は、前記経路60におけるこの排水用開閉弁ＳＶ6 よりも上流側に滞留している所定温度以下の湯水を排出する（捨て水）ためのものである。
【００２８】
また、ＴＨ5 はハンドシャワーの吐出装置の第五温度検出部（本体シャワーの吐出装置の第二温度検出部に相当する）であり、前記経路60における前記主混合弁61と前記フロースイッチＳＷ2 との間に設置されている。この第五温度検出部ＴＨ5 は前記主混合弁61から流れてくる湯水の温度を検出し、所定の信号を発信する。そして、この信号に基づいて、前記排水用開閉弁ＳＶ6 ，後記ハンドシャワー用吐出弁ＳＶ7 および後記異常時用開閉弁ＳＶ5 が開閉される。具体的作動については後記する。
【００２９】
次に、ＳＶ5 は異常時用開閉弁であり、前記経路60における前記第五温度検出部ＴＨ5 と前記排水用開閉弁ＳＶ6 との間に設置されている。この異常時用開閉弁ＳＶ5 は経路60における湯水の流れを開閉するものであり、前記第五温度検出部ＴＨ5 が異常温度（設定温度以上）を検出したときに閉止して、湯水の流れを停止する。
【００３０】
次に、ＳＶ7 はハンドシャワー用吐出弁であり、前記経路60における前記排水用開閉弁ＳＶ6 の下流側に設置されている。このハンドシャワー用吐出弁ＳＶ7 の下流側にはシャワー部（この発明の「吐出部」に相当する）70が設置されている。
【００３１】
このシャワー部70は、図４に示すように、車椅子用シャワー装置（車椅子でシャワーブース内に進入してシャワー入浴する装置）Ａに付随している。
【００３２】
次に、このハンドシャワーの吐出装置においても、前記制御ボックス50によって、前記した第四温度検出部ＴＨ4 ，第五温度検出部ＴＨ5 およびフロースイッチＳＷ2 からの適宜信号を受信し、作動用モーターＭ2 ，排水用開閉弁ＳＶ6 および異常時用開閉弁ＳＶ5 の作動をコントロールする。
【００３３】
このハンドシャワーの吐出装置のコントロール方法を、図３に基づいて説明する。
(1).コントールをスタートさせる。
(2).ハンドシャワー温度の上限および下限を設定する。
(3).ハンドシャワー温度を設定する。
(4).準備スイッチをＯＮする。
(5).排水用開閉弁ＳＶ6 ，異常時用開閉弁ＳＶ5 を開放する。
(6).ハンドシャワー用吐出弁ＳＶ7 を閉止する（手動）。
(7).第四温度検出部ＴＨ4 が設定温度以上か否かを判断する。
a).未満の場合には、供給される湯の温度を上げる。設定温度以上になるまで取り返す。
b).以上の場合には、混合弁61の制御が開始する。
(8).混合弁61の制御が開始した後に、第五温度検出部ＴＨ5 が設定温度範囲内か否かを判断する。
a).範囲外の場合には、作動用モーターＭ2 を作動させ、設定温度範囲内になるまで繰り返す。
b).範囲内の場合には、排水用開閉弁ＳＶ6 を閉止し、ハンドシャワーの準備が完了する。
(9).ハンドシャワー開始のＳＷをＯＮする。なお、このＳＷは無くてもよい。
(10). ハンドシャワー用吐出弁ＳＶ7 を手動で開放する。シャワー部70から湯水が噴出する。
(11). この状態で、第五温度検出部ＴＨ5 が設定温度の上限以下か否かを判断する。
a).上限以下の場合には、この温度検出を繰り返す。
b).上限を越えている場合には、異常時用開閉弁ＳＶ5 を閉止して、異常箇所を点検する。
この異常時用開閉弁ＳＶ5 は手動によって押した場合にのみ開放する。開放した後は、第五温度検出部ＴＨ5 が設定温度の上限以下か否かを判断する。
【産業上の利用可能性】
【００３４】
シャワー吐出装置を設置するにあたって、シャワー開始時から所定温度の湯水を吐出する状態を確保する際に利用できる。
【図面の簡単な説明】
【００３５】
【図１】図１はこの発明に係るシャワー吐出装置の流体系統図である。
【図２】図２は同装置における本体シャワーのコントロールの流れ図である。
【図３】図３は同ハンドシャワーのコントロールの流れ図である。
【図４】図４はこのシャワー吐出装置における吐出部の説明図である。
【符号の説明】
【００３６】
10      …  本体シャワー用主経路（主経路）
11      …  主混合弁（温度調節弁）
111     …  湯経路
112     …  水経路
20      …  ノズル部（吐出部）
30      …  加圧ポンプ
50      …  制御ボックス
51      …  注入ポンプ
60      …  ハンドシャワー用経路
61      …  主混合弁（温度調節弁）
70      …  シャワー部
80      …  排出経路
Ａ      …  車椅子用シャワー装置
Ｂ      …  シャワーブース
Ｃ      …  車椅子
Ｍ1     …  作動用モーター（駆動手段）
Ｍ2     …  作動用モーター（駆動手段）
ＳＶ1   …  吐出用開閉弁
ＳＶ2   …  吐出用開閉弁
ＳＶ3   …  吐出用開閉弁
ＳＶ4   …  排水用開閉弁
ＳＶ5   …  異常時用開閉弁
ＳＶ6   …  排水用開閉弁
ＳＶ7   …  ハンドシャワー用吐出弁  
ＴＨ1   …  第一温度検出部
ＴＨ2   …  第二温度検出部
ＴＨ3   …  第三温度検出部
ＴＨ4   …  第四温度検出部
ＴＨ5   …  第五温度検出部
ＳＷ1   …  フロースイッチ
ＳＷ2   …  フロースイッチ
【図１】
2007135855.tif 000003
【図２】
2007135855.tif 000004
【図３】
2007135855.tif 000005
【図４】
2007135855.tif 000006